(57)【特許請求の範囲】
【請求項１】
記録面が多層構造であり、その各層に情報を記録するデータ領域と試し書きを行なう試し書き領域とを持つ情報記録媒体に対して、試し書きを行なう層以外の試し書き領域に情報を予め記録し、その試し書きによって得られた最適記録パワー値が他の層の情報に影響を及ぼすと判別された場合、前記情報記録媒体の他の記録層の試し書き領域に記録した情報を再生し、その再生結果に基づいて他の記録層に影響を及ぼさない記録パワー値を検出し、該検出された記録パワー値を改めて最適記録パワー値に決定することを特徴とする最適記録パワー値決定方法。
【請求項２】
請求項１記載の最適記録パワー値決定方法において、
前記改めて決定した最適記録パワー値で記録した情報を再生した後、ジッタが一定値の範囲を超える場合、前記試し書きによって得られた最適記録パワー値と前記記録パワー値との間の範囲内で改めて最適記録パワー値を決定することを特徴とする最適記録パワー値決定方法。
【請求項３】
記録面が多層構造である情報記録媒体に対して、試し書きをデータ領域で行なう場合に他の記録層の同じ半径位置に既記録情報があれば試し書き時の記録パワー範囲を予め狭めて試し書きを行ない、その試し書きに基づいて最適記録パワー値を決定することを特徴とする最適記録パワー値決定方法。
【請求項４】
請求項３記載の最適記録パワー値決定方法において、
前記試し書きによって得られた最適記録パワー値と基準値を比較し、その比較した比率が一定値の範囲を超える場合、試し書き時の記録パワー範囲を広げて試し書きを行なうことを特徴とする最適記録パワー値決定方法。
【請求項５】
記録面が多層構造であり、その各層に情報を記録するデータ領域と試し書きを行なう試し書き領域とを持つ情報記録媒体に対して、試し書きを行なう層以外の試し書き領域に情報を予め記録し、その試し書きによって得られた最適記録パワー値が他の層の情報に影響を及ぼすと判別された場合、前記情報記録媒体の他の記録層の試し書き領域に記録した情報を再生し、その再生結果に基づいて他の記録層に影響を及ぼさない記録パワー値を検出し、該検出された記録パワー値を改めて最適記録パワー値に決定する最適記録パワー値決定手段を備えたことを特徴とする最適記録パワー値決定装置。
【請求項６】
請求項５記載の最適記録パワー値決定装置において、
前記最適記録パワー値決定手段に、前記改めて決定した最適記録パワー値で記録した情報を再生した後、ジッタが一定値の範囲を超える場合、前記試し書きによって得られた最適記録パワー値と前記記録パワー値との間の範囲内で改めて最適記録パワー値を決定する手段を設けたことを特徴とする最適記録パワー値決定装置。
【請求項７】
記録面が多層構造である情報記録媒体に対して、試し書きをデータ領域で行なう場合に他の記録層の同じ半径位置に既記録情報があれば試し書き時の記録パワー範囲を予め狭めて試し書きを行ない、その試し書きに基づいて最適記録パワー値を決定する最適記録パワー値決定手段を備えたことを特徴とする最適記録パワー値決定装置。
【請求項８】
請求項７記載の最適記録パワー値決定装置において、
前記最適記録パワー値決定手段に、前記試し書きによって得られた最適記録パワー値と基準値を比較し、その比較した比率が一定値の範囲を超える場合、試し書き時の記録パワー範囲を広げて試し書きを行なう手段を設けたことを特徴とする最適記録パワー値決定装置。
【発明の詳細な説明】
【０００１】
【発明の属する技術分野】
この発明は、記録面が幾つかの層で構成されている多層構造を持つ光ディスク等の記録媒体に対して、情報の記録を行なう際に情報を記録する層以外の他記録層で既に情報が記録されている場合でも、その既記録情報を劣化させない最適記録パワー値を求めて情報を記録するレーザ出力の調節を最適値に決定する最適記録パワー値決定方法と、その最適記録パワー値決定方法を実行する光ディスク記録再生装置等の最適記録パワー値決定装置に関する。
【０００２】
【従来の技術】
従来、記録層を複数有する多層記録媒体の各記録層に対して、その各半径位置の各情報トラック毎に試し書きを行ない、その再生信号を検査することにより、各情報トラックに対する情報の記録，消去又は再生動作に適切な光ビームパワーの条件を求め、また、基準となる記録層上であって半径位置の異なる複数の情報トラックに対する記録，消去又は再生条件と、異なる記録層における同一半径位置の情報トラックに対する記録，消去又は再生条件とから求められた両者間の感度係数に基いて異なる記録層上の異なる半径位置の情報トラックに対する条件を算出する情報記録再生装置（例えば、特開平１１−３５５０号公報参照）があった。
【０００３】
【発明が解決しようとする課題】
上記情報記録媒体として、例えば、光ディスクメディアにおいては、読み込みを専用とした光ディスクメディア，その他に書き換えは出来ないが情報の追記を行なえる追記型光ディスクメディア，情報の書き換えや消去が可能な書換型光ディスクメディアが存在する。
【０００４】
また、追記型，書換型光ディスクメディアには、それぞれ光ディスクメディアを構成する（色素変化、相変化などの）組成が異なる種類のメディアがある。
その他にも、記録層の構造が異なる光ディスクメディアがある。
【０００５】
そして、今まで単層の記録層であった光ディスクメディアが２層構造を持つ光ディスクメディアになり、記録層の多層化へと発展してきている。
その多層化によって光ディスクメディアの記録容量を向上することが出来る特徴を持っているため、今後有用性が高まると考えられている。
【０００６】
多層構造を持つ光ディスクメディアにおいても、情報の追記記録や書き換え記録などを行なう場合、単層の光ディスクメディアで行なっていた様々な記録時の最適条件の設定を行なわなくてはならない。
【０００７】
例えば、単層の光ディスクメディアでは、記録時のレーザ出力パワーを最適値に設定しなくてはならない。
ここで、レーザの出力パワーを最適値に設定せずに情報の記録を行なってしまうと、再生を行なう際にジッタが悪くなり、正しくデータを再生できなくなる可能性がある。
【０００８】
また、上書き記録を行なう場合においてレーザ出力パワーが最適記録パワー値に決定されていないと、上書きをするデータ領域にある既記録情報を消去できず、上書き記録を行なうことが出来なくなる可能性がある。
【０００９】
記録時のレーザ出力を最適記録パワー値に補正する制御を最適記録パワー制御（Ｏｐｔｉｍｕｍ  Ｐｏｗｅｒ  Ｃｏｎｔｒｏｌ：ＯＰＣ）という。
このＯＰＣで求めた最適記録パワー値でレーザ出力を補正して情報の記録を行なうことにより、再生時において上記ジッタを基準値以内に抑えることができ、正確な再生が行なえるようになる。
【００１０】
また、上書き時においても、適切な記録パワーで記録してあるデータであればそのデータを消去し、情報の上書き記録を正確に行なうことが出来る。
【００１１】
一方、多層構造を持つ光ディスクメディアにおいては、記録層が幾層にもなっていることから、より上位（レーザ照射面に近い方）にある記録面の反射率は低く抑えられ、下位の層の記録面ではレーザ光を届かせるため透過率が高く設定されている。
【００１２】
この様なことから、各記録層の特性が大きく異なっていると考えられる。
その他にも、記録マーク（ピット）が大きいため、記録層毎に対する記録マーク密度が小さくなる特徴がある。
【００１３】
従来のＯＰＣは、単層構造の光ディスクメディアに対応した方法であり、２層構造を含む多層構造になった光ディスクメディアにおいては最適記録パワー値を決定することができず、情報の記録が正確に行なわれないという問題があった。
【００１４】
また、他の記録層に既に情報が記録されている場合、その既記録情報に影響を与えないようなレーザ記録パワー値の設定を行なって最適記録パワー値を決定する必要がある。
【００１５】
しかしながら、単層構造の光ディスクメディアで行なっていたＯＰＣでは、多層構造を持つ光ディスクメディアに対して正確な記録パワーの設定が出来ないという問題があった。
したがって、上述したような従来の情報記録再生装置でも上記のような問題は解決できなかった。
【００１６】
この発明は上記の点に鑑みてなされたものであり、多層構造を持つ光ディスクメディア等の情報記録媒体に対して情報の記録を行なう場合、情報を書き込む層のデータ領域に対する記録時のレーザ出力を、情報が記録された他の層への影響を及ぼさないような最適記録パワー値に調整することを目的とする。
【００１８】
【課題を解決するための手段】
この発明は上記の目的を達成するため、記録面が多層構造であり、その各層に情報を記録するデータ領域と試し書きを行なう試し書き領域とを持つ情報記録媒体に対して、試し書きを行なう層以外の試し書き領域に情報を予め記録し、その試し書きによって得られた最適記録パワー値が他の層の情報に影響を及ぼすと判別された場合、上記情報記録媒体の他の記録層の試し書き領域に記録した情報を再生し、その再生結果に基づいて他の記録層に影響を及ぼさない記録パワー値を検出し、その検出された記録パワー値を改めて最適記録パワー値に決定する最適記録パワー値決定方法を提供する。
【００１９】
さらに、上記のような最適記録パワー値決定方法において、上記改めて決定した最適記録パワー値で記録した情報を再生した後、ジッタが一定値の範囲を超える場合、上記試し書きによって得られた最適記録パワー値と上記記録パワー値との間の範囲内で改めて最適記録パワー値を設定するとよい。
【００２０】
また、記録面が多層構造である情報記録媒体に対して、試し書きをデータ領域で行なう場合に他の記録層の同じ半径位置に既記録情報があれば試し書き時の記録パワー範囲を予め狭めて試し書きを行ない、その試し書きに基づいて最適記録パワー値を決定する最適記録パワー値決定方法を提供する。
【００２１】
さらに、上記のような最適記録パワー値決定方法において、上記試し書きによって得られた最適記録パワー値と基準値を比較し、その比較した比率が一定値の範囲を超える場合、試し書き時の記録パワー範囲を広げて試し書きを行なうとよい。
【００２３】
また、記録面が多層構造であり、その各層に情報を記録するデータ領域と試し書きを行なう試し書き領域とを持つ情報記録媒体に対して、試し書きを行なう層以外の試し書き領域に情報を予め記録し、その試し書きによって得られた最適記録パワー値が他の層の情報に影響を及ぼすと判別された場合、上記情報記録媒体の他の記録層の試し書き領域に記録した情報を再生し、その再生結果に基づいて他の記録層に影響を及ぼさない記録パワー値を検出し、その検出された記録パワー値を改めて最適記録パワー値に決定する最適記録パワー値決定手段を備えた最適記録パワー値決定装置を提供する。
【００２４】
さらに、上記のような最適記録パワー値決定装置において、上記最適記録パワー値決定手段に、上記改めて決定した最適記録パワー値で記録した情報を再生した後、ジッタが一定値の範囲を超える場合、上記試し書きによって得られた最適記録パワー値と前記記録パワー値との間の範囲内で改めて最適記録パワー値を決定する手段を設けるとよい。
【００２５】
また、記録面が多層構造である情報記録媒体に対して、試し書きをデータ領域で行なう場合に他の記録層の同じ半径位置に既記録情報があれば試し書き時の記録パワー範囲を予め狭めて試し書きを行ない、その試し書きに基づいて最適記録パワー値を決定する最適記録パワー値決定手段を備えた最適記録パワー値決定装置を提供する。
【００２６】
さらに、上記のような最適記録パワー値決定装置において、上記最適記録パワー値決定手段に、上記試し書きによって得られた最適記録パワー値と基準値を比較し、その比較した比率が一定値の範囲を超える場合、試し書き時の記録パワー範囲を広げて試し書きを行なう手段を設けるとよい。
【００２８】
この発明の請求項１記載の最適記録パワー値決定方法は、記録面が多層構造であり、その各層に情報を記録するデータ領域と試し書きを行なう試し書き領域とを持つ情報記録媒体に対して、試し書きを行なう層以外の試し書き領域に情報を予め記録し、その試し書きによって得られた最適記録パワー値が他記録層の既記録情報を劣化させると判別した場合、再び他記録層の試し書き領域に記録を行なった情報を再生し、その再生された中から試し書き時の記録パワーによる劣化を受けていない記録マークを検出し、その時の記録パワー値を改めて最適記録パワー値に決定するので、情報の追記や書き換えを行なったとしても、再生時に他の記録層の情報がエラーになることを防ぐことができる。
【００２９】
さらに、この発明の請求項２記載の最適記録パワー値決定方法は、上記のように改めて決定した最適記録パワー値で情報の記録を行なった後、その情報の再生を行なってジッタを測定し、その測定されたジッタの値が一定値を大きく超える場合には、上記のように求めた最適記録パワー値と上記のように改めて決定された最適記録パワー値との間の範囲内にある記録パワー値を改めて最適記録パワー値に決定するので、既記録情報を劣化させることなく新しく記録した情報を再生する際にエラーが出るのを抑えることができる。
【００３０】
また、この発明の請求項３記載の最適記録パワー値決定方法は、多層構造の情報記録媒体を使用し、試し書きを行なうデータ領域と同じ半径位置の他記録層に既記録情報がある場合、予め試し書きを行なう記録パワー範囲を狭めて試し書き記録を行なって最適記録パワーを決定するので、データ領域に試し書きを行なう際に既記録情報の劣化を抑えることができる。
【００３１】
さらに、この発明の請求項４記載の最適記録パワー値決定方法は、上記のように狭い範囲で行なった試し書きによって得られた記録パワー値と予め求めてある最適記録パワー値とを比較し、その比較した値が一定値を超える場合には、試し書き範囲を広げて再び試し書きを行なって最適記録パワーを決定するので、新しい情報を正確に記録することができる。
【００３３】
また、この発明の請求項５記載の最適記録パワー値決定装置は、記録面が多層構造であり、その各層に情報を記録するデータ領域と試し書きを行なう試し書き領域とを持つ情報記録媒体に対して、試し書きを行なう層以外の試し書き領域に情報を予め記録し、その試し書きによって得られた最適記録パワー値が他の層の情報に影響を及ぼすと判別された場合、情報記録媒体の他の記録層の試し書き領域に記録した情報を再生し、その再生結果に基づいて他の記録層に影響を及ぼさない記録パワー値を検出し、その検出された記録パワー値を改めて最適記録パワー値に決定する。
【００３４】
さらに、この発明の請求項６記載の最適記録パワー値決定装置は、上記のように改めて決定した最適記録パワー値で記録した情報を再生した後、ジッタが一定値の範囲を超える場合、試し書きによって得られた最適記録パワー値と上記のような記録パワー値との間の範囲内で改めて最適記録パワー値を決定する。
【００３５】
また、この発明の請求項７記載の最適記録パワー値決定装置は、記録面が多層構造である情報記録媒体に対して、試し書きをデータ領域で行なう場合に他の記録層の同じ半径位置に既記録情報があれば試し書き時の記録パワー範囲を予め狭めて試し書きを行ない、その試し書きに基づいて最適記録パワー値を決定する。
【００３６】
さらに、この発明の請求項８記載の最適記録パワー値決定装置は、上記のような試し書きによって得られた最適記録パワー値と基準値を比較し、その比較した比率が一定値の範囲を超える場合、試し書き時の記録パワー範囲を広げて試し書きを行なう。
【００３７】
このため、多層構造の情報記録媒体において既記録情報の劣化を最小限に抑える最適記録パワーを決定することができ、新しい情報の記録を自動的に行えるため、複雑な操作を必要とせずに容易に情報の追記もしくは書き換えを行なうことができる。
【００３８】
【発明の実施の形態】
以下、この発明の実施形態を図面に基づいて具体的に説明する。
図１は、この発明の最適記録パワー値決定装置の一実施形態である情報記録再生装置の構成を示すブロック図である。
【００３９】
この情報記録再生装置は、ＣＰＵ，ＲＯＭ，及びＲＡＭ等からなるマイクロコンピュータを内蔵した光ディスクドライブであり、光ディスク回転機構部２，レーザビーム光源３，光学ヘッド部４，信号処理部５，試し書き再生信号処理部６，再生処理部７，サーボ制御部８，動作制御ユニット９，レーザビーム制御部１０，試し書き記録制御部１１，及び判別・検出回路１２等からなる。
【００４０】
この情報記録再生装置は、後述の図２と図３で示す２層構造を持つ光ディスク１に対し、その光ディスク１を光ディスク回転機構部２に固定して、光ディスク１を自由に回転させることが出来る。
【００４１】
そして、レーザビーム光源３から光ディスク１へレーザビームＬを照射し、光ディスク１に依存する制御初期条件を求めた後、サーボ制御部８で制御を行なって再びレーザビームを照射し、光学ヘッド部４から光ディスク１の信号を読み取り、信号処理部５，再生処理部７，及び動作制御ユニット９において再生信号の処理を行なう。
【００４２】
一方、情報の記録については、制御初期条件を求めた後に、判別・検出回路１２において後述するこの発明の請求項１乃至請求項４のいずれか一項に記載の方法と請求項５乃至８のいずれか一項に記載の機能にかかわる判別や最適記録パワー値決定処理を実行し、その判別や決定処理によって定められた試し書き領域に、記録時のレーザービームの最適記録パワー値を求めるために順次段階的に記録パワーを変化させて試し書きを行なう。
【００４３】
その後、上記試し書きを行なった記録情報を再生し、同じくこの発明の請求項１乃至請求項４のいずれか一項に記載の方法と請求項５乃至８のいずれか一項に記載の機能にかかわる処理によって再度最適な記録パワー値を求め、その求められた記録パワー値を改めて最適記録パワー値に決定し、その最適記録パワー値を設定して光ディスク１へ情報の記録を行なう。
【００４５】
すなわち、上記各部により、記録面が多層構造であり、その各層に情報を記録するデータ領域と試し書きを行なう試し書き領域とを持つ光ディスク（情報記録媒体）１に対して、試し書きを行なう層以外の試し書き領域に情報を予め記録し、その試し書きによって得られた最適記録パワー値が他の層の情報に影響を及ぼすと判別された場合、上記光ディスク１の他の記録層の試し書き領域に記録した情報を再生し、その再生結果に基づいて他の記録層に影響を及ぼさない記録パワー値を検出し、その検出された記録パワー値を改めて最適記録パワー値に決定する手段の機能を果たす。
【００４６】
さらに、上記改めて決定した最適記録パワー値で記録した情報を再生した後、ジッタが一定値の範囲を超える場合、上記試し書きによって得られた最適記録パワー値と上記記録パワー値との間の範囲内で改めて最適記録パワー値を決定する手段の機能も果たす。
【００４７】
また、記録面が多層構造である光ディスク（情報記録媒体）１に対して、試し書きをデータ領域で行なう場合に他の記録層の同じ半径位置に既記録情報があれば試し書き時の記録パワー範囲を予め狭めて試し書きを行ない、その試し書きに基づいて最適記録パワー値を決定する最適記録パワー値決定手段の機能を果たす。
【００４８】
さらに、上記試し書きによって得られた最適記録パワー値と基準値を比較し、その比較した比率が一定値の範囲を超える場合、試し書き時の記録パワー範囲を広げて試し書きを行なう手段の機能も果たす。
【００４９】
図２は、図１に示した光ディスク１の記録面の層構造を示す説明図である。
ここでは、記録面が多層構造である情報記録媒体の一例として２層構造の光ディスクメディアの層構造を示す。
【００５０】
この光ディスク１は、レーザビームが照射される側に近い情報記録面の第１層目（矢示Ａ）とラベル面に近い側にある情報記録面の第２層目（矢示Ｂ）があり、記録層が多層化構造を示している。
【００５１】
その第１層目と第２層目の間は、４０μm〜６０μmであり、その中間距離は光ディスクメディアの表面から０．６ｍｍの所にある。
また、光ディスク１の厚さは１．２mmである。
【００５２】
さらに、反射率については、第１層目の記録層が半透明の記録層になっており、１８〜３０%の反射率に設定されている。
したがって、第２層目の反射率は、ほぼ全反射と考えることができる。
【００５３】
図３は、図２に示した光ディスクの各記録層における情報を記録するデータ領域と試し書きを行なう試し書き領域のフォーマット例を示す説明図である。
光ディスク１の内周側には、第１層目の試し書き領域Ｔ１と第２層目の試し書き領域Ｔ２が設けられており、其々試し書き領域の外側に情報を記録する第１層目のデータ領域Ｄ１と第２層目のデータ領域Ｄ２が設けられている。
【００５４】
また、各層の試し書き領域及びデータ領域は幾つかのゾーンに分けられている。図中の、Ｔ１−ａ，Ｔ１−ｂ，Ｄ１−ａ，Ｄ１−ｂ，Ｔ２−ａ，Ｔ２−ｂ，Ｄ２−ａ，及びＤ２−ｂは、それぞれの領域で「−ａ」はゾーンａを、「−ｂ」はゾーンｂを示す記号である。
【００５５】
次に、この情報記録再生装置における情報記録時の最適記録パワー決定処理について説明する。
【００５６】
（１）この発明の参考となる機能にかかわる最適記録パワー決定処理の一例
図４は、図１に示した情報記録再生装置におけるこの発明の参考となる機能にかかわる最適記録パワー決定処理を示すフローチャートである。
図５は、図３に示したフォーマットの各領域への記録手順の説明図である。
【００５７】
このチャート１の処理は、図４に示すように、ステップ（図中「Ｓ」で示す）１で試し書き記録を行なう試し書き領域Ｔ２−ａを検出し、ステップ２へ進んで試し書き記録を行なう記録層以外の対応する試し書き領域Ｔ１−ａに既知のデータＡを記録し、ステップ３へ進んで試し書き領域Ｔ２−ａに試し書きを行なう。
【００５８】
ステップ４へ進んで試し書き領域Ｔ２−ａに試し書きしたデータを再生し、それに基づいて最適記録パワー値を求め、ステップ５へ進んで試し書き領域Ｔ１−ａに記録したデータＡのうち、試し書き領域Ｔ２−ａに最適記録パワー値で書き込まれた個所に対応するデータＡを再生し、そのジッタを測定し、ステップ６へ進んでそのジッタに基づいて最適記録パワー値が試し書き領域Ｔ１−ａに及ぼす影響を判別し、その判別結果に基づいて最適記録パワー値を決定して、この処理を終了する。
【００５９】
さらに、この処理を図２，図３，及び図５も用いて説明する。
図２に示した層構造を持つ光ディスク１に対して、図３に示したその第２層目の試し書き領域Ｔ２−ａに試し書きを行なって第２層目の最適記録パワー値を求める場合、Ｓ１で試し書き領域Ｔ２−ａを検出し、Ｓ２で第１層目のＴ１−ａに既知のデータＡを書き込む（図５の（ａ）中に斜線を施して示す）。
【００６０】
データＡを記録した後、Ｓ３で試し書き領域Ｔ２−ａに段階的に連続して変化させた記録パワー値を用いて試し書きを行なう（図５の（ｂ）中に斜線を施して示す）。
そして、Ｓ４で試し書きを行なった記録情報を再生して、第２層目における最適記録パワー値を求める。
【００６１】
最適記録パワー値：Ｐｏｐｃを計算で求めると、その値に最も近い値で試し書きを行なった試し書き領域Ｔ２−ａを「ｘ」とする（図５の（ｃ）中に「ｘ」を付し、斜線を施して示す）。
【００６２】
さらに、Ｓ５で上記「ｘ」の時に影響を受ける試し書き領域Ｔ１−ａの記録マーク「ｙ」（図５の（ｃ）中に「ｙ」を付し、斜線を施して示す）の再生を行ない、そのジッタを測定する。
【００６３】
Ｓ６で、その得られたジッタを一定値（例えば、８%）と比較して、その一定値を超えない場合は、上記のように求めた最適記録パワー値を最適記録パワーと決定して情報の記録を行なう。
また、ジッタの値が一定値を超えた場合は、他の記録層の既記録情報の劣化を防ぐために、求めた最適記録パワー値で情報の記録を行なわないように制御を行なう。
【００６４】
このようにして、多層構造の情報記録媒体を使用し、試し書きによって最適記録パワー値を求めた後、最適記録パワー値が他の記録層にある既記録情報に与える影響を判別して最適記録パワー値を決定するので、追記もしくは書き換え後による他の記録層にある既記録情報の劣化を未然に防ぐことができる。
【００６５】
（２）この発明の請求項１と５に記載の機能にかかわる最適記録パワー決定処理の一例
図６は、図１に示した情報記録再生装置におけるこの発明の請求項１と５に記載の機能にかかわる最適記録パワー決定処理を示すフローチャートである。
【００６６】
このチャート２の処理は、図４に示したチャート１の処理で得られた最適記録パワー値に基づいて、ステップ１１で、その最適記録パワー値が他の記録層の既記録情報を劣化させると判別した場合、ステップ１２へ進んで試し書き領域Ｔ１−ａのデータＡを再生し、そのジッタを測定し、ステップ１３へ進んで一定値（８％）以下になるジッタを検出する。
【００６７】
ステップ１４へ進んでジッタが一定値以下であり、且つ最も一定値に近い値であるときの記録パワー値を検出し、ステップ１５へ進んでその検出された記録パワー値を改めて最適記録パワー値に決定し、その最適記録パワー値を設定して情報の記録を行ない、この処理を終了する。
【００６８】
さらに、この処理について説明する。
図４のフローチャートに示したチャート１の処理で得られた最適記録パワー値が、Ｓ１１で他の記録層に影響を及ぼすと判別された場合、Ｓ１２で試し書きを行なって最適記録パワー値を求めた後、試し書き領域Ｔ１−ａに予め書き込んだデータＡを再び再生し、そのジッタを測定する。
【００６９】
その後、Ｓ１４でデータＡを再生し、一定値（８%）以下となるジッタをまず検出し、次に最も一定値に近い値を持つジッタの検出を行ない、ジッタが一定値以下であり、且つ最も一定値に近い値として検出された記録マークに対応する試し書き時の記録パワー値を検出し、Ｓ１５でその記録パワー値を改めて最適記録パワー値に決定し、その最適記録パワー値を設定して情報の記録を行なう。
【００７０】
このようにして、最初に得られた最適記録パワー値が他の記録層の既記録情報に影響を及ぼして劣化させると判別した場合、他層の試し書き領域に記録を行なった情報を再生し、試し書き時の記録パワーによる劣化を受けていない記録マークを検出し、その時の記録パワー値を最適記録パワーに決定するので、情報の追記もしくは書き換えを行なった後でも、他の記録層の情報をエラーが生じることなく再生を行なうことができる。
【００７１】
（３）この発明の請求項２と６に記載の機能にかかわる最適記録パワー決定処理の一例
図７は、図１に示した情報記録再生装置におけるこの発明の請求項２と６に記載の機能にかかわる最適記録パワー決定処理を示すフローチャートである。
【００７２】
このチャート３の処理は、ステップ２１において、図６に示したチャート２の処理で求めた最適記録パワー値で試し書き領域Ｔ２−ｂに既知のデータＢを記録し、ステップ２２へ進んで試し書き領域Ｔ２−ｂに記録したデータＢを再生し、そのジッタを測定する。
【００７３】
ステップ２３へ進んで測定したジッタの値が一定値を大きく超える場合、上述のチャート１の処理で求めた最適記録パワー値と上述のチャート２の処理で求めた記録パワー値の範囲内の値を選択し、その値を改めて最適記録パワー値に決定し、ステップ２４へ進んで選択した値、すなわち、改めて決定した最適記録パワー値で情報を記録して、この処理を終了する。
【００７４】
さらに、この処理について説明する。
Ｓ２１で図６のフローチャートに示したチャート２の処理で求めた記録パワー値で、試し書き領域Ｔ２−ｂに既知のデータＢを記録する。
Ｓ２２で試し書き領域Ｔ２−ｂの情報を再生し、ジッタを測定する。
【００７５】
Ｓ２３で測定を行なったジッタの値が一定値を超える場合、図４のフローチャートで示したチャート１の処理で求めた最適記録パワー値と図６のフローチャートで示したチャート２の処理で検出した記録パワー値の範囲内の値を選択する。Ｓ２４で上記選択した記録パワー値を新しく情報を記録する際の最適記録パワーに改めて決定し、情報の記録を行なう。
【００７６】
このようにして、予め決定した記録パワー値と上述の処理で求めた最適記録パワー値を比較し、その比較した値がある一定値を超えれば、上記最適記録パワー値と上記記録パワー値の範囲内にある値を新しい最適記録パワー値に決定するので、新しく記録する情報及び既記録情報を再生する際に、エラーを最小限度に抑えて再生を行なうことができる。
【００７７】
（４）この発明の請求項３と７に記載の機能にかかわる最適記録パワー決定処理の一例
図８は、図１に示した情報記録再生装置におけるこの発明の請求項３と７に記載の機能にかかわる最適記録パワー決定処理を示すフローチャートである。
【００７８】
このチャート４の処理は、ステップ３１で光ディスク１の情報を記録するデータ領域Ｄ２−ａを検出し、ステップ３２へ進んでその検出されたデータ領域Ｄ２−ａと同じ半径位置の他記録層に既記録情報があるか否かを検出し、ステップ３３へ進んで既記録情報を検出した場合、予め試し書きを行なう記録パワー値の範囲を狭めて試し書きを行ない、ステップ３４へ進んで試し書きを行なった情報を再生し、その再生結果に基づいて最適記録パワー値を求め、その最適記録パワー値で情報を記録する。
【００７９】
さらに、この処理を説明する。
Ｓ３１で光ディスクの情報を記録するデータ領域Ｄ２−ａを検出し、Ｓ３２で上記検出されたデータ領域Ｄ２−ａのこれから情報の記録を行なう領域に対し、他の記録層のデータ領域で上記領域と同じ半径位置に既に情報が記録されているか否かを判別する。
【００８０】
ここで、既に情報の記録があると判別された場合は、Ｓ３３で試し書きを行なう記録パワーの範囲を狭めて試し書き記録を行なう。
このように、試し書きの際に記録パワー値の範囲を狭めることにより、他の記録層にある既記録情報の劣化を防ぐことができる。
そして、Ｓ３４で上記試し書きを行なった情報を再生し、その再生結果に基づいて最適記録パワー値を求め、それを最適録パワーに決定する。
【００８１】
このようにして、多層構造の情報記録媒体を使用し、試し書きを行なうデータ領域と同じ半径位置の他記録層に既記録情報がある場合、予め試し書きを行なう記録パワー範囲を狭めて試し書き記録を行なって最適記録パワー値を決定するので、既記録情報を劣化させることなく情報の追記もしくは書き換えを行なうことができる。
【００８２】
（５）この発明の請求項４と８に記載の機能にかかわる最適記録パワー決定処理の一例
図９は、図１に示した情報記録再生装置におけるこの発明の請求項４と８に記載の機能にかかわる最適記録パワー決定処理を示すフローチャートである。
【００８３】
このチャート５の処理は、ステップ４１において、図８に示したチャート４の処理で検出した最適記録パワー値と予め設定した基準値Ｐｗとを比較し、ステップ４２へ進んでその比較した比率が一定範囲を超えるか否かを判断し、比率が一定範囲を超えないなら、ステップ４５へ進んで上記試し書きによって求まった記録パワー値を最適記録パワー値に決定し、その最適記録パワー値を設定して情報の記録を行なう。
【００８４】
ステップ４２の判断で比率が一定範囲を超えるなら、ステップ４３へ進んで試し書きを行なう際の記録パワー値の範囲を広げて、ステップ４４へ進んで再びデータ領域Ｄ２−ｂに試し書きを行なって最適記録パワー値を求める。
【００８５】
そして、ステップ４１へ戻ってその最適記録パワー値を基準値Ｐｗと比較し、ステップ４２の比較による比率が一定範囲を超えないなら、ステップ４５へ進んでその再試し書きによって求まった記録パワー値を改めて最適記録パワー値に決定し、その最適記録パワー値を設定して情報の記録を行なう。
【００８６】
さらに、この処理を説明する。
Ｓ４１において、図８のフローチャートに示したチャート４の処理で検出した最適記録パワー値と予め求めてある各記録層毎の最適記録パワー値（基準値：Ｐｗ）を比較する。
【００８７】
基準値Ｐｗと比較を行なって、Ｓ４２でその比率が一定範囲を超えるか超えないかを判別し、比率が一定範囲を超えると、Ｓ４３〜４４で試し書き時に段階的に連続で変化させる記録パワー値の範囲を広げて試し書きを行ない、最適記録パワー値を求める。
【００８８】
さらに、Ｓ４１へ戻って上記求めた最適記録パワー値を再び基準値Ｐｗと比較し、その比率が一定範囲を超えるか否かを判別して、一定範囲を超えないと判別されれば、Ｓ４５においてＳ４４で求めた記録パワー値を改めて最適記録パワー値に決定し、その最適記録パワー値で情報の記録を行なう。
【００８９】
このようにして、限られた記録パワー範囲で行なった試し書きによって求められた最適記録パワー値と予め求めてある最適記録パワー値とを比較し、その値が一定値を超える場合には、試し書きの記録パワー範囲を広げて再び試し書きを行なって最適記録パワーを決定するので、新しい情報の記録を優先させてエラーが少ない記録を行なうことができる。
【００９０】
なお、この実施形態の情報記録再生装置は、この発明の請求項１乃至請求項４のいずれか一項に記載の方法にかかわる処理を、任意に組み合わせて実行することもでき、多層構造の光ディスク１に対して既記録情報の劣化を最小限度に抑えるように最適記録パワー値を決定し、新しい情報の記録を自動的に行なって、複雑な操作を必要とせずに情報の追記もしくは書き換えを行なうことができる。
【００９１】
【発明の効果】
以上説明してきたように、この発明の最適記録パワー値決定方法と最適記録パワー値決定装置によれば、多層構造を持つ光ディスクメディア等の情報記録媒体に対して情報の記録を行なう場合、情報を書き込む層のデータ領域に対する記録時のレーザ出力を、情報が記録された他の層への影響を及ぼさないような最適記録パワー値に調整することができ、情報記録の信頼性を向上させることができる。
【図面の簡単な説明】
【図１】この発明の最適記録パワー値決定装置の一実施形態である情報記録再生装置の構成を示すブロック図である。
【図２】図１に示した光ディスクの記録面の層構造を示す説明図である。
【図３】図２に示した光ディスクの各記録層における情報を記録するデータ領域と試し書きを行なう試し書き領域のフォーマット例を示す説明図である。
【図４】  図１に示した情報記録再生装置におけるこの発明の参考となる機能にかかわる最適記録パワー決定処理を示すフローチャートである。
【図５】図３に示したフォーマットの各領域への記録手順の説明図である。
【図６】  図１に示した情報記録再生装置におけるこの発明の請求項１と５に記載の機能にかかわる最適記録パワー決定処理を示すフローチャートである。
【図７】  図１に示した情報記録再生装置におけるこの発明の請求項２と６に記載の機能にかかわる最適記録パワー決定処理を示すフローチャートである。
【図８】  図１に示した情報記録再生装置におけるこの発明の請求項３と７に記載の機能にかかわる最適記録パワー決定処理を示すフローチャートである。
【図９】  図１に示した情報記録再生装置におけるこの発明の請求項４と８に記載の機能にかかわる最適記録パワー決定処理を示すフローチャートである。
【符号の説明】
１：光ディスク        ２：光ディスク回転機構部
３：レーザビーム光源  ４：光学ヘッド部
５：信号処理部        ６：試し書き再生信号処理部
７：再生処理部        ８：サーボ制御部
９：動作制御ユニット  １０：レーザビーム制御部
１１：試し書き記録制御部  １２：判別・検出回路
Ｌ：レーザビーム
【図１】
0003720644.tif 000002
【図２】
0003720644.tif 000003
【図３】
0003720644.tif 000004
【図４】
0003720644.tif 000005
【図５】
0003720644.tif 000006
【図６】
0003720644.tif 000007
【図７】
0003720644.tif 000008
【図８】
0003720644.tif 000009
【図９】
0003720644.tif 000010